Podtech/llm-jp-corpus-v4-ja_patent huggingface dataset:
(57)【要約】【課題】    従来の紛失し易く、持ち歩き不便な取り扱い説明書を紙や小冊子およびビデオテープ・パソコン検索等に頼らずに簡易に誰もが出来るようにする。【解決手段】  家電・自動車・おもちゃやその他の機器機械などに取り扱い説明のためのＩＣタグやバーコード等を添付し、そのＩＣタグやバーコード等を携帯電話やテレビ等受像リモコンおよびこの方法を可能にする機器やカード等で読み出し表示する。【選択図】      図１
2007052750.tif 000002
【特許請求の範囲】
【請求項１】
家電・自動車・おもちゃやその他の機器機械などに取り扱い説明のためのＩＣタグやバーコード等を添付する。
【請求項２】
家電・自動車・おもちゃやその他の機器機械などに保障に関するＩＣタグやバーコード等を添付し、保証書の役目を持たせること。
【請求項３】
そのＩＣタグやバーコード等を携帯電話で読み出し表示する。
【請求項４】
そのＩＣタグやバーコード等をテレビ等受像リモコンおよびこの方法を可能にする機器やカード等で読み出し表示する
【請求項５】
製造・販売・消費動向・新製品の開発等に上記の方法によるデーター利用をすること。
【請求項６】
本方法を取るために、携帯電話やこの方法に利用可能な機器等にそのデーターの読み取り、配信機能を付帯すること。
【発明の詳細な説明】
【技術分野】
【０００１】  本発明は、ＩＣタグやバーコードなどでテレビ・パソコン・カメラなどの機器機械等の取り扱い説明を携帯電話等により簡易にできる方法に関する。
【背景技術】
【０００２】  従来から、家電・自動車・おもちゃやその他の機器機械などの取り扱い説明を紙や小冊子およびビデオテープ・パソコン検索等で操作説明をしている。【０００３】  最近では上記の機器等にＩＣタグやバーコード・プレートが添付されているものがあるが日付・製造ナンバー等の製造出荷履歴管理をするためのものである。【０００４】  上記の操作設置当初はこれまでの方法で理解できたが、後日操作方法変更をしたくとも取り扱い説明書を紛失したりして非常に困ることが多い。【０００５】  特に持ち歩くようなカメラなどでは機器に取り扱い説明書をくくりつけておくこともパソコン検索も出来ず、いざというときに困ることが多い。【０００６】  さらに保証書なども紛失しやすく保証書登録では手間がかかり、修理等の依頼に不便である。
【特許文献１】    特許公開  平８−１３３４２４  物品の管理方法、管理システム及びそれに適用されるタグ
【特許文献２】    特許公開  平１０−１８７７５８  非接触型ＩＣタグ方式による検索装置
【特許文献３】    特許公開  平１０−２０８０１４  画像読み取り装置
【特許文献４】    特許公開  ２００５−１９３５０５  書籍およびリーダー装置
【特許文献５】    特許公開  ２００３−３４７９９１  展示品情報提供システム、及び展示品情報提供方法
【特許文献６】    特許公開  ２００４−３０１４７  製品、製品のパッケージ、製品の保証書作成登録方法および保証書作製登録システム
【発明の開示】
【発明が解決しようとする課題】
【０００７】  解決しようとする問題点は従来の紛失し易く、持ち歩き不便な取り扱い説明書を紙や小冊子およびビデオテープ・パソコン検索等に頼らずに簡易に誰もが出来るようにする。
【課題を解決するための手段】
【０００８】  上記目的を達成するために、本発明の方法においては、家電・自動車・おもちゃやその他の機器機械などに取り扱い説明のためのＩＣタグやバーコード等を添付する。【０００９】  さらにそのＩＣタグやバーコード等を携帯電話やテレビ等受像リモコンおよびこの方法を可能にする機器やカード等で読み出し表示する。【００１０】  その方法はテレビ・パソコン・携帯電話等機器及び本体に画像としてまた、音声・文字により取り扱い説明をする。【００１１】  またそのＩＣタグやバーコード等に保証書の役目を持たせることで保証書の紛失や保障期間や保障内容も分かる。【００１２】  そのＩＣタグやバーコード等から直接取り扱い説明や保証内容を読み出し表示するのみでなくこの機器等の販売元に送信し表示されることでより細かいサービスが受けられる。【００１３】  またそれにより販売元での販売・消費動向・新製品の開発に役立たせることが出来る。
【発明の効果】
【００１４】  取り扱い説明書や保証書の紛失が防げ、その場で取り扱い説明が受けられさらに保障期間や保障内容も知ることが出来る。
【発明の実施するための最良の形態】
【００１５】  家電・自動車・おもちゃやその他の機器機械などに取り扱い説明のためのＩＣタグやバーコード等を添付し、そのＩＣタグやバーコード等を携帯電話やテレビ等受像リモコンおよびこの方法を可能にする機器やカード等で読み出し表示する。
【実施例】
【００１６】  カメラの取り扱い説明と保障期間・内容デーダーのＩＣタグをそのカメラに添付しそのＩＣタグをＩＣタグ読み出し携帯電話で読み出せることが確かめられた。
【産業上の利用可能性】
【００１７】  取り扱い説明書や保証書の紛失が防げ、その場で取り扱い説明が受けられさらに保障期間や保障内容も知ることが出来、消費者と販売元とのトラブルが少なくなる。【００１８】販売元での販売・消費動向・新製品の開発に役立たせることが出来る。
【図面の簡単な説明】
【００１９】
【図１】  ＩＣタグやバーコード等をカメラ・テレビに添付しそのＩＣタグやバーコード等を携帯電話やテレビ等受像リモコンおよびこの方法を可能にする機器やカード等で読み出し表示する図である。
【符号の説明】
【００２０】      １  テレビ
２  カメラ
３  ＩＣタグ・バーコード等
４  携帯電話
５  テレビ等受像リモコン
６  この方法を可能にする機器やカード等
【図１】
2007052750.tif 000003
(57)【要約】【課題】  ハイパーテキスト印刷時に、ハイパーリンク情報が失われてしまうため、ハイパーテキスト間の相互参照性が保たれない。【解決手段】  ハイパーテキスト印刷時に、相互参照されたハイパーテキスト１を印刷文書３として統合し、ページ数等のインデックス情報５を付記することでハイパーテキスト間の相互参照性を保持する。【選択図】    図２
2007052752.tif 000002
【特許請求の範囲】
【請求項１】
ハイパーテキスト印刷時に相互参照されたハイパーテキストを統合し、ハイパーリンク情報をページ番号等のインデックス情報に変換して付記する。
【発明の詳細な説明】
【発明の詳細な説明】
【技術分野】
【０００１】本発明は、ＨＴＭＬやＸＭＬ等のハイパーテキストを複数印刷する際、ハイパーリンク情報をページ番号等のハイパーテキスト間を相互に参照可能なインデックス情報に変換し、そのインデックス情報を可視化することで、印刷により失われるハイパーリンクによる参照性を保持できるようにしたものである。
【背景技術】
【０００２】従来は、ハイパーテキストを印刷する際は、テキスト情報のみが印刷されていた。
【発明が解決しようとする課題】
【０００３】ハイパーテキストを印刷する際、ハイパーテキストに埋め込まれたハイパーリンク情報が失われてしまうため、ハイパーテキスト間の相互参照性が失われてしまうという難点があった。本発明は、この課題を解消するためになされたものである。
【課題を解決するための手段】
【０００４】ハイパーテキストを印刷する際、相互に参照されているハイパーテキストを統合する。更に、ハイパーリンク情報をページ数等のインデックス情報に変換し、可視化することで、参照先の情報へのアクセスを容易なものとした。
【発明の実態の形態】
【０００５】以下、本発明の実態の形態について説明する。
ハイパーリンクで相互に参照されている複数のハイパーテキスト１を統合し、印刷文書２とする。このとき、ハイパーリンク２をページ数等のインデックス情報５に変換し、ハイパーリンクが埋め込まれていたテキストに付記する。
【本発明の効果】
【０００６】ハイパーテキストを、ハイパーテキスト間の相互参照性を保ったまま印刷物とすることを可能にする。
【図面の簡単な説明】
【０００７】
【図１】ハイパーリンクで相互参照されたハイパーテキストの例である。
【図２】ハイパーテキスト１を統合し、印刷した文書である。
【符号の説明】
【０００８】１  ハイパーテキスト
２  ハイパーリンク
３  印刷文書
４  ページ番号
５  インデックス情報
【図１】
2007052752.tif 000003
【図２】
2007052752.tif 000004
(57)【要約】【課題】本発明は、人々には問題解決や情報処理について支援を求める容易な方法がなかった。故に、いつでも誰でも、問題解決や情報処理のために利用できる仕組みを提供する。【手段】パソコンを持たない人たちは、解決すべき問題や情報の内容に謝礼金を明示した文書を共用サイトに郵送すれば公開される。共用サイトを閲覧する人の提案文書で問題や情報は解決されて謝礼金が支払われる。【特許請求の範囲】
【請求項１】
インタ−ネットに共用サイトを開設し、人々が持っている懸念する問題や情報を集合させて、相互に問題の解決や情報の交換を金銭でビジネス化する仕組み。
【発明の詳細な説明】
【技術分野】
【０００１】  本発明は、社会生活上起きる種々の解決すべき問題や情報を、いつでも、誰でも容易な方法で解決や情報に役立てるための仕組みに関するものである。
【背景技術】
【０００２】  従来、解決すべき問題や情報を、いつでも、誰でも容易な方法で解決や処理をされる仕組みがなかった。
【発明の開示】
【解決しようとする課題】
【０００３】  問題の解決や情報の処理について人々が価値観を共有するには、次のような問題点があった。
人々の中にはパソコンを持たないばかりでなく、解決すべき問題や情報に直面したとき、そのことが社会問題化するまで支援を求める容易な方法がなかった。
本発明は、以上の問題点を解決するために、インタ−ネットに共用サイトを開設し、いつでも、誰でも、容易に利用できる方法で、知識と行動を共有できるようになされたものである。
【課題を解決するための手段】
【０００４】  パソコンを持たない人たちも、解決すべき問題や情報があれば、その内容に支援の要請なら謝礼金を明示して文書にし、共用するサイトに郵送すると公開される。一方で、共用サイトを閲覧した人がその問題の解決策を表明すると支援を要請した人に通知され、その問題は解決されて謝礼金が支払われる。
本発明は、以上の構成よりなり容易に問題が解決される仕組みである。
【発明の効果】
【０００５】  本発明を利用すると、過去のように被害や損害を受けて泣き寝入りや諦めたりする懸念も払拭されて、問題解決や情報処理の手順が容易に実行され、被害や損害を防止する。
【発明を実施するための最良の形態】
【０００６】  以下、本発明の実施の形態を説明する。
（イ）パソコンや携帯電話の通信手段等を利用して共用サイトに解決すべき問題や情報を集合し、メ−ル等で交信し問題や情報の処理解決を図る。
（ロ）パソコンを持たない人たち｛Ａ｝〔以下Ａとする〕は解決すべき問題に直面したときその内容に謝礼金を明示して文書にし、共用サイト｛Ｂ｝〔以下Ｂとする〕に郵送する。
（ハ）｛Ｂ｝は｛Ａ｝の文書の内容に不適切がなければ公開する。
（ニ）｛Ｂ｝を閲覧し問題とする内容に解決策のある人たち｛Ｃ｝〔以下Ｃとする〕は文書でその旨を｛Ｂ｝に郵送する。
（ホ）｛Ｂ｝は｛Ｃ｝の文書内容の適切を選択し、その解決策文書を｛Ａ｝に転送する。
（ヘ）｛Ａ｝は解決策文書を参考にして問題を解決し｛Ｂ｝を中継して｛Ｃ｝に謝礼金を支払う。
本発明は以上の構成よりなる。
本発明を利用する場合は、公序良俗、真実、責任などを大義として社会環境を命題に、人々の利益に深く貢献することが望まれる。
(57)【要約】      （修正有）【課題】製造された機器には、製造番号、製造年月日、製造者を刻印した銘盤を取り付け出荷していた。しかし銘盤の剥ぎ取りなどにより履歴を抹消し、流通市場に不正に出荷されることがあった。【解決手段】機器本体に、第一顧客の有する固定付与番号及び売買年月日を、穴あけ貫通加工を実施して刻印する。【選択図】図３
2007052753.tif 000002
【特許請求の範囲】
【請求項１】
第一顧客の有する固定付与番号を刻印して販売する機器
【発明の詳細な説明】
【発明の詳細説明】
【技術分野】
【０００１】機械
【背景技術】
【０００２】従来製造される機器には、その機器出荷時に銘板を取り付け、製造番号、製造年月日、製造者を刻印していた。また機器の部品には製造番号を刻印し出荷していた。しかし銘板については脱落、または不正な剥ぎ取り、部品の製造番号については、不正に削りとられ、その履歴が抹消され、流通市場に不正に出荷されることがあった。
【発明が解決しようとする課題】
【０００３】この発明は製造品機器の第一顧客への売買時に、第一顧客に固有に付与されている電話番号と、売買年月日を機器本体に、穴あけ貫通刻印加工する事により、この機器の履歴を明示し、この機器の盗難やそれに伴う不正流通を防止しようとするものである。図  １  は、パーソナル  コンピューターの例で説明する、このパーソナル  コンピューターの本体部分  ▲イ▼にこの発明による、第一顧客固定付与番号及び売買年月日を、穴あけ貫通加工する場所を設置する。図  ２  は図１の  ▲イ▼部分の拡大図であり、図  ３は更に拡大した図であり、図２の左側部分の穴あけ貫通加工部分の詳細を▲ロ▼で表示している。この製造品機器が、将来流通市場に出された場合、この機器の第一顧客に電話にて、この機器が、正常な売買、または譲渡により流通市場に流出したか、あるいは盗難による不正な流出か、直ちに確認できるため、製造品機器の盗難の防止、流通市場への不正流通を防止できるものである。
【課題を解決する為の手段】
【０００４】機器本体の一部分に穴あけ貫通加工可能な場所を設置する。
【発明実施の形態】
【０００５】機器の売買時、穴あけ貫通加工を実施して、履歴を刻印する。
【発明の効果】
【０００６】この発明を活用することにより、小型で高価な機器の盗難とそれに伴う不正流通を防止することができる。
【図面の簡単な説明】
【図１】はパーソナル  コンピューターの外観図である。
【図２】は図１の第一顧客固定付与番号及び、売買年月日刻印場所の拡大図である。
【図３】は図２の更なる拡大図であり、図２の左側部分の穴あけ貫通加工の詳細をしめしている。
【符号の説明】
図  １  において符号▲イ▼はこの発明による、第一顧客固定番号及び買売年月日刻印装置である。図  ３  において符号▲ロ▼はこの発明による、穴あけ貫通加工刻印の詳細をしめす。
【図１】
2007052753.tif 000003
【図２】
2007052753.tif 000004
【図３】
2007052753.tif 000005
(57)【要約】【課題】金融機関等において数多く設置されているＡＴＭ装置等の暗証番号入力による本人認証（確認）取引において、暗証番号入力時に第３者が背後等から盗み見することにより、指の動きから暗証番号が類推若しくは判別され、偽造・変造カード若しくは盗難カードによる盗難事件に発展する事が大きな社会問題として取り上げられるに至った。【解決手段】本発明は、単に背後等から盗み見しただけでは容易に入力暗証番号が推測若しくは判別されないように、一定の枠内で取引数字入力部が１桁入力毎にランダム方向に移動することとしたものである。【特許請求の範囲】
【請求項１】
現金自動預払機、若しくはキャッシュディスペンサーに於いて、本人認証の為に４桁の暗証番号（パスワード）入力をおこなうにあたり、暗証番号を１桁入力する毎に入力画面がランダム方向に移動する。
【発明の詳細な説明】
【技術分野】
【０００１】  本発明は、金融機関等で預金者がキャッシュカードを使用して暗証番号による本人認証（確認）を取引しようとした場合に、背後から第３者が指の動きより入力暗証番号を類推し、盗み見されないように対応しようとした場合に有効な技術に関する。
【背景技術】
【０００２】  預金者は本人認証（確認）取引をおこなうため、４桁の暗証番号を入力する。現在、ＡＴＭ装置等の画面に、表示された数字一覧表から登録した暗証番号を一桁ずつ入力している。【０００３】  実際、ＡＴＭ装置等は比較的狭い箇所に出来るだけ多くのＡＴＭ装置等が押し込められ、いかに１台でも多くのＡＴＭ装置を設置するかが競われている。
【発明が解決しようとしている課題】
【０００４】  このため、多くの利用者が充分な空間も与えられず利用することで、第３者が隣及び背後その他から利用中の状態を見ることが可能で、結果的に入力暗証番号もたやすく盗み見することが可能となっている。
【課題を解決するための手段】
【０００５】  本発明は、上記目的を解決するために暗証番号入力画面で、同暗証番号を１桁毎入力する毎に表示入力待画面がランダム方向に移動し、盗み見されても容易には入力暗証番号が推測出来ない事を可能とする。
【発明を実施するための最良の形態】
【図面の簡単な説明】
【０００６】
【図１】本発明が適用され、最初の暗証番号１桁目を入力する画面の図である。
【図２】本発明が適用され、２桁目の暗証番号を入力しようとする画面の図である。
【符号の説明】
【０００７】    １１    ＡＴＭ装置等の取引表示画面のうち、暗証番号入力部の移動可能枠。    １２    ＡＴＭ装置等の移動取引数字入力部。
【図１】
2007052759.tif 000002
【図２】
2007052759.tif 000003
(57)【要約】      （修正有）【課題】公正性の保障、秘密性の確保、プライバシーの保護および投票率の向上を確保した電子投票システムを提供する。【解決手段】金融機関やコンビニエンスストアのＡＴＭ機で銀行カードと投票用紙の番号を入力して、投票画面を表示し、タッチパネルより投票を行い、データを送信する。ＡＴＭ機から投票が完了した旨のデータがプリントアウトされ、この用紙には投票者の名前と投票時間のみが記述され、開票時刻に暗号化された投票データが解除され、集計が行われる。【効果】公正性の保障は、コンビニの店員や金融機関のモニターで監視されている。秘密性の確保は、ＡＴＭコーナーの仕切りやモニターによって、秘密性が守られる。プライバシーの保護は、投票者がどの候補者に投票したのかは分からない。投票率の向上は、身近にあるＡＴＭ機を使用するため、投票率の向上が期待できる。【選択図】図１
2007052757.tif 000002
【特許請求の範囲】
【請求項１】
金融機関や郵便局、コンビニエンスストアのＣＤ・ＡＴＭから選挙投票を行う電子投票システム。
【発明の詳細な説明】
【技術分野】
【図面の簡単な説明】
【図１】▲１▼金融機関やコンビニエンスストアのＡＴＭ機で銀行カードと投票用紙の番号を入力して、投票画面を表示する。▲２▼タッチパネルより投票を行い、データを送信する。ＡＴＭ機から、投票が完了した旨のデータがプリントアウトされる。この用紙には、投票者の名前と投票時間のみが記述されている。▲３▼開票時刻に暗号化された投票データが解除され、集計が行われる。
【図１】
2007052757.tif 000003
【手続補正書】
【提出日】平成17年11月14日(2005.11.14)
【手続補正２】
【補正対象書類名】明細書
【補正対象項目名】全文
【補正方法】変更
【補正の内容】
【発明の詳細な説明】
【技術分野】本発明は、金融機関や郵便局のＡＴＭを使い国、又は地方自治体の電子投票を行うためのシステム。
【発明の開示】
【発明が解決しようとする課題】現行の電子投票システムでは、システムの構築と運用費用が膨大であり、国や地方自治体の運用費負担が大きい。
このため、全国の投票所にくまなく設置することは不可能であり、投票率の向上にはつながらない。
【課題を解決解決するための手段】
金融機関や郵便局のＡＴＭを電子投票機として使用する。
投票の４つの重要な要素（公正性の保障・秘密性の確保・プライバシーの保護・投票率の向上）は、以下の理由で現行の電子投票システムより優れている。
▲１▼公正性の保障・・金融機関のモニターで監視されている。
▲２▼秘密性の確保・・ＡＴＭコーナーの仕切りやモニターによって、秘密性が守られる。
▲３▼プライバシーの保護・・投票者がどの候補者に投票したのかは分からない。
（選挙人の氏名と投票した候補者のデータは、暗号化されて別々のサーバに送られるので、選挙人がどの候補者に投票したかは特定できない。）
▲４▼投票率の向上・・身近にあるＡＴＭを使用するため、投票率の向上が期待できる。
（選挙人がすでに投票を済ませた場合は、そのデータ（選挙人番号と投票時刻）がサーバに保存される為、重複投票を防ぐことができる。）
【発明の効果】
金融機関や郵便局のＡＴＭを使用することによって、システム開発の費用と期間を短縮でき、また投票所も選挙人の身近に数多く存在することになり、投票率の向上が図れる。
【図面の簡単な説明】
【図１】  ▲１▼金融機関や郵便局のＡＴＭで銀行カードと投票用紙の番号を入力して、投票画面を表示する。  ▲２▼タッチパネルより投票を行い、投票データを送信する。ＡＴＭから、投票が完了した旨のデータがプリントアウトされる。この用紙には、投票者の名前と投票時間のみが記述されている。  ▲３▼開票時刻に暗号化された投票データが解除され、集計が行われる。
(57)【要約】【課題】  パーソナルコンピュータの画面上からインターネットのサイト画面へ簡単に接続できる簡易仮想チャンネルを提供する。【解決手段】インターネット簡易接続チャンネル本体（１）に隠れた、数字入力盤（２）を設け、上部に入力表示盤（３）を設ける。【選択図】    図２
2007052751.tif 000002
【特許請求の範囲】
【請求項１】
パーソナルコンピュータの画面上にインターネットからダウンロードもしくは、ＣＤ−ＲＯＭなどでインストールした簡易接続チャンネル本体（１）に数字入力盤（２）を有し、任意設定のチャンネル数字入力のみで自動的に設定のインターネット画面へ接続できるインターネット簡易接続仮想チャンネル。
【発明の詳細な説明】
【技術分野】
【０００１】この発明は、パーソナルコンピュータの画面上からインターネットのサイト画面へ簡単に接続できる簡易仮想チャンネルに関するものである。
【背景・技術】
【０００２】  従来よりパーソナルコンピュータの画面上からインターネットへ接続するためには、接続画面を介し、ホームページアドレスを設定し、または検索して数多くある画面上から、任意の画面に接続し情報を得る、という作業が必要で次回に接続の場合の保存機能はあるが初回の接続には多数の画面に経由接続するものである。
【発明の開示】
【発明が解決しようとする課題】
【０００３】これは次のような欠点があった。
イ．パーソナルコンピュータ上からインターネットへ接続しようとするには、一度接続画面へ繋ぎ、検索画面でホームページを検索する、ホームページアドレスの記号、数字を多数キーボードに打ちこむ、など、幾つもの過程を必要とし熟練した方でないと非常に面倒であった。
ロ．パーソナルコンピュータの画面はアルファベットが多く、また幾つもの操作を必要とし、年輩の方や機械操作が苦手な人にはインターネットは難しいと敬遠していた。
【課題を解決するための手段】
【０００４】パーソナルコンピュータ上の仮想チャンネルである、インターネット簡易接続チャンネル本体（１）に数字入力盤（２）を設け、入力表示盤（３）を設ける。
本発明は、以上の構成よりなるインターネット簡易接続チャンネルである。
【発明を実施するための最良の形態】
【０００５】以下、本発明の実施の形態を説明する。
インターネット簡易接続チャンネル本体（１）に隠れた、数字入力盤（２）を設け、上部に入力表示盤（３）を設ける。
本発明は以上の構成よりなっている。
本発明を使用するときは、インターネットからダウンロードもしくはＣＤ−ＲＯＭなどでインストールして、パーソナルコンピュータへ取り込んで、操作を行なう。
したがって、操作方法はインターネット簡易接続チャンネル本体（１）のチャンネルボタン（４）の操作で隠れた数字入力盤（２）が表示され、番組表ボタン（５）の操作にて表示された番組から設定された、任意のチャンネル数字を選び表示ボタン（６）を操作することにより、自動で記憶されたホームページアドレスへインターネットを経由し、ホームページの画面へ接続することができる。
【発明の効果】
【０００６】  本発明を使用することによって、今まで面倒であったパーソナルコンピュータを使用したインターネットの利用がより簡単になり、今まで敬遠していた方でも簡易操作にてインターネットでの情報閲覧などができるようになり、利便性が高くなると共に利用者の拡大にも繋がる。
【図面の簡単な説明】
【０００７】
【図１】本発明の画面内表示の正視図
【図２】本発明の動作状態を示す正視図
【図３】本発明の使用状態を示す正視図
【符号の説明】
【０００８】１  インターネット簡易接続チャンネル本体
２  数字入力盤
３  入力表示盤
４  チャンネルボタン
５  番組表ボタン
６  表示ボタン
【図１】
2007052751.tif 000003
【図２】
2007052751.tif 000004
【図３】
2007052751.tif 000005
(57)【要約】【課題】長時間のキーボード入力作業によって、キー操作をする指だけではなく爪にも圧力がかかり、爪が欠けたり割れたりしてしまうことがあったために、圧力を和らげる必要があった。【解決手段】キーボードのキーの上面に、シリコン素材の粘着性のあるシールを貼り付ける。【選択図】図１
2007052761.tif 000002
【特許請求の範囲】
【請求項１】
パーソナルコンピュータのキーボード（以下キーボード）のキーの上部に貼り付ける、爪が割れにくくなる・欠けにくくなることを目的としたシリコン素材のシール状のものである。
【請求項２】
前記シール状のものは形状がキーの大きさに準ずる、もしくはキーの大きさより数ミリ程度大きいもので、透明でうしろが透けて見えることを特徴とし、また容易に剥がすことのできる程度の粘着力があり、何度も張り替えができるシール。
【発明の詳細な説明】
【技術分野】
【０００１】  この発明はキーボードを操作するときに使用する、主に爪を保護するためのシールである。このシールの素材はシリコンを使い、キーボードを操作する際に指や爪にかかる圧力を軽減するように作られている。この発明は、キーボードのキーに用いるシールの形状に関するものである。
【背景技術】
【０００２】  従来のキーボードはプラスチックを素材とし、長時間のキーボードを使っての入力作業によって爪が欠けたり、割れたりすることがある。先行技術は特許出願等は見受けられなかった。
【発明の開示】
【発明が解決しようとする課題】
【０００３】以上の技術によれば、長時間のキーボード入力によって、指だけではなく爪にも圧力がかかり、爪が欠けたり割れたりしてしまうことがあった。
そこで、この発明は、長時間のキーボード入力をしても爪が割れにくく、欠けにくくするためのキーボードに貼り付けるシール状のものを提供することを課題とする。
【課題を解決するための手段】
【０００４】  以上の課題を解決するために、第一発明は、キーボードのキーに個別にシリコン素材のやわらかいシールを貼り付けることを特徴とする、キーボード用のクッションシールである。
また、第二発明は、クッションシールは透明である為、キーボードに書かれた文字をクッションシールを貼り付けた状態で確認できる。何度も張り替えることができ、指や爪への衝撃を和らげることを特徴とするキーボード用のクッションシールである。
【発明の効果】
【０００５】  第一発明、第二発明によれば、キーに直接貼り付けるキーボードクッションシールを用いることで、指や爪への衝撃を和らげることができたので、爪が欠けにくく、割れにくくなる。
【発明を実施するための最良の形態】
【０００６】  この発明の一実施形態を、図１に示し、説明する。
キーボードのキーの本体（１）はプラスチック製であり、この上面にシール状のクッションシール（２）を貼り付ける。【０００７】「実施形態の効果」
この実施形態によれば、クッションシール２の働きで長時間のキーボード入力を行った場合においても爪が割れにくく、欠けにくくなる。
【図面の簡単な説明】
【０００８】
【図１】本発明の斜視図である。
【図２】本発明の断面図である。
【図３】本発明の使用状態を示す斜視図である。
【符号の説明】
【０００９】１  キーボードのキー        ２  クッションシール
【図１】
2007052761.tif 000003
【図２】
2007052761.tif 000004
【図３】
2007052761.tif 000005
(57)【要約】      （修正有）【課題】 視覚障害者でも使い易いパーソナルコンピュータのシステムを構築すること。【解決手段】 モニターディスプレイの上下左右の四隅にスピーカーを設け２次元平面上のどこにアイコン、カーソル、メニュー等があるか、音像を表現することで解決する。更に音の種類と音の高さで２次元平面上の任意の点の位置と種類を表現する。【選択図】図１
2007052385.tif 000002
【特許請求の範囲】
【請求項１】
パーソナルコンピュータのディスプレイの四隅にスピーカーを設けることで、パーソナルコンピュータのグリッド状に配置されたアイコンやカーソル、メニュー等の位置等を音声で２次元平面上に表すことのできる、視覚障害者でもパーソナルコンピュータのアイコンやカーソル等の位置を把握し確認することが出来るシステム。
【請求項２】
請求項１で表されたパーソナルコンピュータのモニターディスプレイの２次元平面上のグリッド状に配置されたアイコンやカーソル、メニュー等の位置を、四隅に設けてあるスピーカーで鳴らす場合に音色の種類と音色の音高（音の高さ）でより確実にカーソルやアイコン、メニュー等の位置や種類を２次元平面上に表すシステム。音色の種類とその音高の配置の仕方は、例えばＹ軸上に音高（音の高さ）をアイコン等の位置の高さに比例して配置し、Ｘ軸上には、段階に応じて音色の種類を割り当てることで、視覚障害者に確実に認識させるシステム。
【発明の詳細な説明】
【技術分野】
【０００１】    本発明はコンピュータに関するものであり、現在広く普及しているモニターディスプレイを用いる機器、特にパーソナルコンピュータの視覚障害者にとっての使いにくさを改善するものである。
【背景技術】
【０００２】    現在広く普及しているパーソナルコンピュータのインターフェースはグラフィック・ユーザー・インターフェースであり、これはユーザーに対しアイコン等のグラフィックをインターフェースとすることで従来のコンピュータにおける文字の入力によるコマンド操作を用いたコンピュータの使いづらさを解消したものである。この例として非特許文献１がある。
【非特許文献１】    Ａ  Ｈｉｓｔｏｒｙ  Ｏｆ  Ｔｈｅ  ＧＵＩ  ｈｔｔｐ：／／ａｒｓｔｅｃｈｎｉｃａ．ｃｏｍ／ａｒｔｉｃｌｅｓ／ｐａｅｄｉａ／ｇｕｉ．ａｒｓ
【発明の開示】
【発明が解決しようとする課題】
【０００３】    しかし、グラフィック・ユーザー・インターフェースは多くの項目を同時に把握出来る為、視覚の障害のない人には非常に便利だが、視覚障害者（特に全盲者）にとってはモニターディスプレイの２次元平面上のあらゆる場所にアイコンやメニュー、ファイルといったものが散らばっているためどこに何があるか判らず非常に使いづらいのでこれを解決することを課題とする。
【課題を解決するための手段】
【０００４】    この課題を解決するための請求項１の発明は、コンピュータのモニターディスプレイの四隅にスピーカーを設け（図１参照）２次元平面上の任意の位置に音像を結びモニターディスプレイ上にグリッド上に配置され表現されたアイコンやカーソル、メニュー等の位置を聴覚を使用して認識させることで解決出来る。【０００５】    また請求項２の発明は請求項１の発明を補完するものである。より正確にアイコンやカーソル、メニュー等の位置と種類を認識させるために音色（音の種類）、音高（音の高さ）をもちいてアイコン、カーソル、メニュー等を判別したり、その位置をより正確に脳内にイメージ出来る。
【発明の効果】本発明により全盲の視覚障害者でもアイコンやカーソル、メニュー等の位置を正確に認識することが出来るので、グラフィック・ユーザー・インターフェースベースの機器（主にパーソナルコンピュータ）を使用者が自由に取り扱うことが出来る。
【発明を実施するための最良の形態】
【０００６】    図１は、コンピュータのモニターディスプレイの四隅四ヶ所にスピーカーを設けたものである。ステレオスピーカーのように２つだけでなく上下左右に分けて４つ配置することで２次元上の平面に任意の音像を結び、その音像の点の位置を認識させる事が出来る。【０００７】    図２は請求項２の具体的な適用例である。コンピュータのモニターディスプレイの２次元平面上のグリッド状に縦横にアイコンが配置されている。Ｙ軸上にアイコンの平面上の高さに比例して音高（音の高さ）が割り当てられている。使用する音の高さはグランドピアノの白鍵に準ずるなら５２種類まで割り当てられる。Ｘ軸上には音の種類（楽器音や、シンセサイザーの音色、各種サウンドライブラリ）を割り当てる。
【産業上の利用の可能性】
本発明に係わるスピーカーやモニターディスプレイ、ディジタルサウンドソースは工業的に量産することが可能であるため、産業上の利用可能性を有する。
【図面の簡単な説明】
【０００８】
【図１】モニターディスプレイの上下左右の四隅にそれぞれ１つずつスピーカーを設けてある。
【図２】グリッド上に配置されたアイコンの位置を音色（音の種類）、音高（音の高さ）で表現してある。
【符号の説明】
【０００９】１  上下左右の四隅に配置されたモニタースピーカー
２  ４チャンネルモニタースピーカー付きパーソナルコンピュータ用ディスプレイ
３  Ｘ軸方向に音色（音の種類）の割り当て
４  Ｙ軸方向に音高（音の高さ）の割り当て
５  グリッド状に配置されたアイコン群
【図１】
2007052385.tif 000003
【図２】
2007052385.tif 000004
(57)【要約】【課題】      安全に置ける鍵の認証は番号や生体反応、ＤＮＡなどを使用したものが最高峰であるが、情報源が固定的であり、装置も複雑で効果であるが、本発明では、認証コードを極論すれば、外出の度に変更可能であり鍵自体は複雑になることも無く使いかっての良いシステムと成るものである。  停電時や携帯端末を紛失した時に役に立たない。反述すればそれはどんな高価・高度な認証システムにおいても同じ条件である。【解決手段】  携帯からの認証ＱＲコードを読み取る出力は大変微弱である為、固定鍵側で電池駆動の回路をフェールセーフ回路として２〜３回路も受けることにより解決可能である。【選択図】図１
2007070999.tif 000002
【特許請求の範囲】
【請求項１】
２次元バーコード、３次元コード、などのバーコードを媒体として用いて、鍵の開閉を可能とするもの。
【請求項２】
バーコードの媒体として鍵の役目に使用する機械は、携帯電話をはじめとする携帯端末であること。
【請求項３】
携帯端末はバーコードリーダー機能を有し、鍵の媒体としての識別用のコードを自由に発行後そのデーターを固定側の鍵のバーコードリーダーが正しく認識できるようにディスプレーに表示する機能も持たせたもの。
【請求項４】
建物や施錠を必要とする物体などに固定される側の鍵はバーコードリーダーを表と裏又は外側と内側の両面に有しているもの。
【請求項５】
請求項４の鍵は同時に携帯端末からの情報を認知し、機械的若しくは電気的に鍵の開閉を行う機能を持つもの。
【請求項６】
請求項４の端末はバーコードを認識する部分と機械的に施錠や開閉を行う部分は一体となっているもの及び別々と成っているが、機械及び電気的に接続され連動しているもの。
【請求項７】
携帯端末から固定錠へデーターを渡す方法は携帯端末のディスプレーに映されたＱＲコードの図形を固定鍵側で認証する事。
【発明の詳細な説明】
【技術分野】
【０００１】    本発明は、２次元バーコード、３次元コードのＱＲコードを鍵の認証として媒体に使用したものである。【０００２】    携帯電話、携帯端末から任意に数字、文字、記号などを組み合わせたものを単独でＱＲコードに変換し、発行されるＱＲコードにより建物や品物に固定された鍵に認証用のコードとして認識され施錠及び開錠され、さらに同コードを再認識する事により施錠及び開錠を行うもの。【０００３】    携帯電話、携帯端末はＱＲコード作成用アプリケーションを内蔵若しくは記憶装置に記憶されたものとなり、これらを介し、ＱＲコードを自由に作成し発行する事が出来、そのコードを同時に携帯電話、携帯端末のディスプレイに表示ができるものである。【０００４】    携帯電話、携帯端末は、バーコードリーダーの機能が付属されており、新しく発行されたコードを付属のカメラなどで読み込み記憶することにより同じ鍵のＱＲコードを共有し使用可能とする。【０００５】    固定されている鍵は、新しく発行されるＱＲコードを最初にＱＲコード発行元の携帯端末の表示画面から読み込み記憶をし、同じコードが認識された場合に施錠若しくは開錠をする機能を有するものであり、機械的に稼動鶴部分とは一体若しくは認証部分が独立しているが機械的、電気的に繋がっているもので、認証部分の情報が機械的若しくは電気的に施錠と開閉を送れる事。始めの記憶部分は必ず固定物体の内側で行う。すなわちドアであれば、ドアの内側のバーコード−リーダーのみが、記憶可能なものとする。外側のバーコードリーダーは単に認識装置の機能を持つものとする。
【背景技術】
【０００６】    バーコードは主に大量複雑な情報を極小な範囲で示す事が可能であり、容易に新しい情報を発行可能であり、いつでも新しいコードによる安全を確保できる。【０００７】    バーコードを容易に発行可能ならしめる携帯用のアプリケーションをシステムとして内蔵するか、ダウンロードし記憶装置に記憶させる。
【発明の開示】
【発明が解決しようとする課題】
【０００８】    ２次元バーコードの発行はパソコンを始めとした機器及びこれらの機器を通して行っており、携帯端末、携帯電話自身はこれらを認識する事しかできなかったが、端末が専用のアプリケーションを内臓若しくは記憶することで２次元バーコードの発行自体機能を持たせるもの。【０００９】    携帯端末自体が鍵としての情報を製作し発行する為、固定側の鍵には従来の生体認証、指紋認証などを始めとする複雑な記憶装置と機械装置の必要が無くなる。【００１０】    認証のＱＲコードを発行するのは携帯端末で容易で毎日でも鍵の認証を変更可能であるため安全である。又、複雑な記号などの組み合わせや文章自体が認証となるので複製される事が大変難しい為安全である。
【課題を解決するための手段】
【００１１】    ＱＲコード製作発行の携帯端末用のアプリケーションを組み込む事により実現可能となる。  固定鍵側にはバーコードリーダーを装備して置き、最初のコードを記憶させ一致させる事により機械作動を行わせる。
【発明の効果】
【００１２】    簡単に認証コードを作成可能な為に、必要とされる毎に新しいコードに変更可能であり安全である。
【発明を実施するための最良の形態】
【００１３】    以下、本発明の実施の形態を図１〜    に基づいて説明する。
【産業上の利用可能性】
【００１４】    社会生活において人目に付き易い場所や物での施錠において安全の確保が重要とされるあらゆる所。【００１５】    建物や箱などのみならず、車両、設備機器、ロボットの認証としても有効となる。
【図面の簡単な説明】
【００１６】
【図１】携帯端末発行の２次元バーコード鍵システム総系統図。
【図２】携帯電話における２次元バーコードの発行の経路システム図。
【図３】ＱＲコードに文字、絵文字、数字図形などを識別としバーコード化した図。
【図４】ドアを例にとり携帯端末からコードを記憶させる図。
【図１】
2007070999.tif 000003
【図２】
2007070999.tif 000004
【図３】
2007070999.tif 000005
【図４】
2007070999.tif 000006
(57)【要約】【課題】  架設するケーブルの長さに対応した長さを有するシースを、予め作成されている所定長さのシースを設備が整っている工場等で繋ぎ合わせて作成した長尺シースを提供する。【解決手段】  長尺シースは、ケーブルを被覆するポリエチレンで生成されたシースであって、予め生成されている所定長さのシースを繋ぎ合わせることで架設する前記ケーブルの長さに略等しい長さに形成する。【選択図】  図１
2007070972.tif 000002
【特許請求の範囲】
【請求項１】
ケーブルを被覆するシースであって、予め生成されている所定長さのシースを複数個用意し、該用意した複数個のシースを繋ぎ合わせることで、架設する前記ケーブルの長さに略等しい長さのシースを作成することを特徴とする長尺シース。
【請求項２】
前記シースはポリエチレン管で形成されていることを特徴とする請求項１に記載の長尺シース。
【請求項３】
前記シースの繋ぎ合わせは、熱溶着によることを特徴とする請求項１に記載の長尺シース。
【発明の詳細な説明】
【技術分野】
【０００１】
本発明は長尺シースに関し、詳しくは、ケーブルを被覆するシースであって、予め所定長さに生成されているシースを、ケーブルの架設長さに略等しい長さに工場等で繋ぎ合わせて作成するようにした長尺シースに関する。
【背景技術】
【０００２】
従来におけるシースは、架設現場においてケーブルを架設したときに、ケーブルにシースを被せる。このシースは、ケーブルの長さ分だけ現場において、継ぎ足すようにして取り付ける。
【特許文献１】特開２００４−１０８９６４号公報（第３頁〜４頁、第１図）
【発明の開示】
【発明が解決しようとする課題】
【０００３】
しかしながら、従来技術で説明した長尺シースは、架設する現場において継ぎ足してゆくため、その溶着手法を現場で行うため、十分な接続がなされないことがある。
【０００４】
従って、架設に使用するシースをその長さ分だけ、予め工場等の設備が整っている場所にて、予め所定長さに作成されているシースを繋ぎ合わせるようにして、所望の長さのシースを作成することに解決しなければならない課題を有する。
【課題を解決するための手段】
【０００５】
（１）長尺シースは、ケーブルを被覆するシースであって、予め生成されている所定長さのシースを複数個用意し、該用意した複数個のシースを繋ぎ合わせることで、架設する前記ケーブルの長さに略等しい長さのシースを作成することである。
【０００６】
（２）前記シースはポリエチレン管で形成されていることを特徴とする（１）に記載の長尺シース。
【０００７】
（３）前記シースの繋ぎ合わせは、熱溶着によることを特徴とする（１）に記載の長尺シース。
【発明の効果】
【０００８】
本発明のように、架設現場に納入する前に、工場等の設備が整っている場所にて、予め作成されている所定長さのシースを繋ぎ合わせて、架設するケーブルの長さと略同一にすることにより、所望の長さのシースを工場で作成することができる。
【発明を実施するための最良の形態】
【０００９】
本願発明に係る長尺シースについて、以下、図面を参照しながら説明する。
【実施例１】
【００１０】
本発明に係る長尺シースは、図１及び図２に示すように、橋梁等のコンクリート構造物にプレストレスを導入するＰＣ鋼材による内ケーブル若しくは外ケーブル、又は、斜張橋におけるＰＣ鋼材による斜材ケーブル等のケーブルを被覆する筒状のシースであって、ケーブルの架設長さに略等しい長さに、工場等の設備を有するところで作成されたポリエチレン管である。
【００１１】
このような長尺シース１１を製造するためには、先ず、予め作成されている所定長さのポリエチレン管からなるシース１２、１３を複数個用意しておく。このポリエチレン管の長さは、実施例において、例えば、４ｍ、５ｍ、６、１０ｍのものが用意されている。
【００１２】
そして、これらの用意されているポリエチレン管のうち所望のものを選んで、所望の長さだけ繋ぎ合わせる。繋ぎ合わせるのは、端部同士を付き合わせて、その付き合わせた箇所を溶着して繋ぐ、所謂、バット溶接で繋ぐ。
【００１３】
この溶着方法は、付き合わせた端部同士に熱を加えることで溶融させて溶着する。
【００１４】
更に、このようにして作成された長尺シース１１には、その両端部に定着具１４を備えた構成にする。定着具は、所謂、ジョイントであり、ケーブルを締結する際に使用される。
【００１５】
このようにして作成された長尺シース１１は、捲回され、運搬手段、例えば、自動車等にて現場まで運搬され、そこで架設するケーブルに連通させて取り付けられる。
【産業上の利用可能性】
【００１６】
架設したケーブルに被覆するシースを予め工場等で必要な長さのシースを作成する長尺シースを提供する。
【図面の簡単な説明】
【００１７】
【図１】本発明の長尺シースの概略を示した図である。
【図２】定着具を取り付けた長尺シースを捲回した様子を示した図である。
【符号の説明】
【００１８】
１１  長尺シース
１２  シース（ポリエチレン管）
１３  シース（ポリエチレン管）
１４  定着具
【図１】
2007070972.tif 000003
【図２】
2007070972.tif 000004
(57)【要約】  【課題】  天然に存在する各種生理活性物質と同様の構造の化合物を効率よく、また選択性よく化学合成法で合成するための手段が必要とされている。  【解決手段】  このような複雑な反応系において、紫外光を用いて光を十分に照射し反応を行うことによって、副反応を抑え選択的に天然に存在する各種生理活性物質と同様の構造の化合物を効率よく一段階で合成できることが確認された。【特許請求の範囲】
【請求項１】
一般式（Ｉ）で表される化学反応式において、紫外光を用いる高選択的な新規ベンゾ四環系化合物の一段階合成法。
【請求項２】
前記一般式（Ｉ）において、ＥＷＧはＣＮ基、ＣＯ２ＣＨ３基であり、ＸはＯ、ＮＲ、ＳｉＲ′Ｒ″、Ｃ（ＣＮ）２、Ｃ（ＣＯ２Ｒ）２であり、Ｒはアシル基またはアルコキシカルボニル基、Ｒ′、Ｒ″はアルキル基、Ｒ１、Ｒ２、Ｒ３はＨ、ＣＨ３からなる群から選択されたいずれかの基であることを特徴とする、請求項１に記載の反応方法。
【発明の詳細な説明】
【技術分野】
【０００１】
本発明は、光を用いた有機合成反応において、複雑な骨格をもつ新規ベンゾ四環系化合物を一段階で効率よく選択的に合成できることに関する。
【背景技術】
【０００２】
近年、有機合成化学の分野において光反応による複雑な環状の炭素骨格の構築に関する検討が活発に進められている。
しかし光反応を利用する場合、熱反応では合成が困難な骨格形成が可能である反面、生成物への過剰な光照射により、原料への逆反応や副反応および二次反応による複雑な反応系になる場合が少なくない。
【発明の開示】
【発明が解決しようとする課題】
【０００３】
ところで、以上のような光反応によって一段階で複雑な多環系化合物を合成した例は少なく、特にベンゼン環に３つの連続したシクロペンタン環がつながった骨格をもつ化合物の合成法の検討はほとんど行われていない。
【０００４】
本発明は、このような実情に鑑みてなされたものであり、光反応の特性を利用して高効率・高選択的に合成する方法を提供することを目的としている。
【課題を解決するための手段】
【０００５】
前記の目的を達成するために、請求項１に記載の発明は、  一般式（Ｉ）で表される化学反応式において、紫外光を十分に照射する方法に関する。
【化１】
2007070288.tif 000002
一般式（Ｉ）
【０００６】
本発明は、一般式（ＩＩ）で表される副反応が溶媒の極性によって抑制されること、また可逆的に出発物質に戻ることを利用して、十分に紫外光を照射することによって副反応を抑え選択性を向上させ、反応効率も向上させることで、初期の目的を達成しようとするものである。
【化２】
2007070288.tif 000003
一般式（ＩＩ）
【発明の効果】
【０００７】
すなわち、請求項１に記載の発明によれば、一般式（Ｉ）で表される化学反応式において、紫外光を十分に照射することによって、一般式（ＩＩ）の可逆的な副反応を抑え、一般式（Ｉ）の反応を高収率で得ることが可能になる。
【発明を実施するための最良の形態】
【０００８】
以下、実施例をもって本発明を説明するが、これらに限定されるものではない。
（実施例１〜６）
【０００９】
光反応装置は、内径８ｍｍのパイレックス（登録商標）ガラス製反応管を用いた。出発物質はＥＷＧがＣＮ基およびＣＯ２Ｍｅ基、ＸはＯ、Ｃ（ＣＯ２Ｍｅ）２およびＣ(ＣＮ) ２、Ｒ１、Ｒ２、Ｒ３はＨまたはＭｅ基である。また使用した溶媒、光照射時間および収率を表１に示した。
【表１】
2007070288.tif 000004
ｂ：ＥＷＧ＝ＣＮ、Ｘ＝Ｃ(ＣＯ２Ｍｅ) ２、Ｒ１、Ｒ２、Ｒ３＝ＣＨ３
ｃ：ＥＷＧ＝ＣＮ、Ｘ＝Ｏ、Ｒ１＝Ｈ、Ｒ２、Ｒ３＝ＣＨ３
ｄ：ＥＷＧ＝ＣＮ、Ｘ＝Ｏ、Ｒ１、Ｒ２、Ｒ３＝Ｈ
ｅ：ＥＷＧ＝ＣＯ２Ｍｅ、Ｘ＝Ｏ、Ｒ１、Ｒ２、Ｒ３＝ＣＨ３
ｆ：ＥＷＧ＝ＣＯ２Ｍｅ、Ｘ＝Ｏ、Ｒ１＝Ｈ、Ｒ２、Ｒ３＝ＣＨ３
（比較例１〜６）
比較例１〜６において、紫外光を照射する時間および溶媒以外は実施例１〜６とまったく同様にして紫外光を照射する時間を短くして反応を行った。結果は表２に示す。
【表２】
2007070288.tif 000005
100%にならない場合はその他の生成物が副生
ａ：ＥＷＧ＝ＣＮ、Ｘ＝Ｃ(ＣＮ) ２、Ｒ１、Ｒ２、Ｒ３＝Ｈ
ｂ：ＥＷＧ＝ＣＮ、Ｘ＝Ｃ(ＣＯ２Ｍｅ) ２、Ｒ１、Ｒ２、Ｒ３＝ＣＨ３
ｃ：ＥＷＧ＝ＣＮ、Ｘ＝Ｏ、Ｒ１＝Ｈ、Ｒ２、Ｒ３＝ＣＨ３
ｄ：ＥＷＧ＝ＣＮ、Ｘ＝Ｏ、Ｒ１、Ｒ２、Ｒ３＝Ｈ
ｅ：ＥＷＧ＝ＣＯ２Ｍｅ、Ｘ＝Ｏ、Ｒ１、Ｒ２、Ｒ３＝ＣＨ３
ｆ：ＥＷＧ＝ＣＯ２Ｍｅ、Ｘ＝Ｏ、Ｒ１＝Ｈ、Ｒ２、Ｒ３＝ＣＨ３
【産業上の利用可能性】
【００１０】
本発明は、天然に存在する生理活性物質と同様の構造をもつ化合物を効率よく合成するための手段として最適である。
(57)【要約】【課題】  雨水などが溜まらず、かつ、汎用性の高い連結用フライを提供する。【解決手段】  連結用フライ（２）の伸び出る方向に平行で、連結用フライ（２）の中央の全長にわたり、バー（３）を挿入可能なチャンネル部（２ａ）を備える。さらに、チャンネル部（２ａ）は、連結用フライ（２）の伸び出た方向の先端が開閉可能な構造を備える。開閉可能な構造としては、開口した部分に、面ファスナーなどを使用した蓋を取り付ければよい。【選択図】  図１
2007070809.tif 000002
【特許請求の範囲】
【請求項１】
タープまたはテントに使用する連結用フライにおいて、連結用フライには、伸び出る方向に平行で、連結用フライの中央の全長にわたり、バーを挿入可能なチャンネル部を備え、該チャンネル部は、連結用フライの伸び出た方向の先端が開閉可能な構造を備えることを特徴とする連結用フライ。
【請求項２】
タープまたはテントに連結用フライを備え、連結用フライには、伸び出る方向に平行で、連結用フライの中央の全長にわたり、バーを挿入可能なチャンネル部を備え、該チャンネル部は、連結用フライの伸び出た方向の先端が開閉可能な構造を備えることを特徴とするテントまたはタープ。
【発明の詳細な説明】
【技術分野】
【０００１】
本発明は、隣接して設営したタープとテント、タープとタープ、テントとテントなどを連結するために備える連結用フライに関する。
【背景技術】
【０００２】
居住性を高めるために、タープまたはテントなどの出入り口の上部に、矩形状の連結用フライを水平に接続して、連結用フライの端辺を、連結しようとするテントやタープに結び止めていた。従って、連結用タープは、水平となるように張られるため、中央が凹むようになる。このような連結用フライの凹みには、雨水が溜まり易く、不意に大量の雨水を浴びてしまったり、雨水の重さでテントやタープが傾いたり倒れるようなことがあり、不便であった。
【０００３】
このような問題に対応するために、例えば、特開平１０−３７５３５号公報には、移動を容易にするように、トンネル状の連結用フライが記載されている。しかし、トンネル状の連結用フライは、専用の構造が複雑であり、このような構造を備えていない場合には連結することができないという汎用性に劣るという問題があった。
【０００４】
【特許文献１】特開平１０−３７５３５号公報
【発明の開示】
【発明が解決しようとする課題】
【０００５】
本発明の目的は、雨水などが溜まらず、かつ、汎用性の高い連結用フライを提供することにある。
【課題を解決するための手段】
【０００６】
本発明の連結用フライは、タープまたはテントに使用する。さらに、連結用フライには、伸び出る方向に平行で、連結用フライの中央の全長にわたり、バーを挿入可能なチャンネル部を備え、該チャンネル部は、連結用フライの伸び出た方向の先端が開閉可能な構造を備える。
【０００７】
本発明のテントまたはタープは、連結用フライを備える。さらに、連結用フライには、伸び出る方向に平行で、連結用フライの中央の全長にわたり、バーを挿入可能なチャンネル部を備え、該チャンネル部は、連結用フライの伸び出た方向の先端が開閉可能な構造を備える。
【発明の効果】
【０００８】
本発明の連結用フライに、隣接して設営したタープまたはテントを連結すると、挿入されたバーが、フライの尾根となり、雨水などが溜まらなくなった。
【発明を実施するための最良の形態】
【０００９】
本発明について、図面を参照して、一実施例を示す。図１は、本発明の一実施例を示す斜視図である。
【００１０】
本発明の連結用フライ（２）は、連結用フライ（２）の伸び出る方向に平行で、連結用フライ（２）の中央の全長にわたり、バー（３）を挿入可能なチャンネル部（２ａ）を備える。さらに、チャンネル部（２ａ）は、連結用フライ（２）の伸び出た方向の先端が開閉可能な構造を備える。開閉可能な構造としては、開口した部分に、面ファスナーなどを使用した蓋を取り付ければよい。
【００１１】
バー（３）としては、アルミ合金などでよい。バー（３）の質量および寸法は、必要な強度が得られ、可能な限り軽量であることが好ましい。
【００１２】
連結用フライ（２）を他のテントやタープと連結する方法としては、公知の技術のいずれかを使用する。
【００１３】
以上のように、本発明の連結用フライ（２）に、隣接して設営したタープまたはテントを連結すると、挿入されたバー（３）が、連結用フライ（２）の尾根となり、凹みができなくなるので、雨水などが溜まらなくなる。
【図面の簡単な説明】
【００１４】
【図１】本発明の一実施例を示す斜視図である。
【符号の説明】
【００１５】
１、３  インナー
２  連結用フライ
２ａ  チャンネル部
３  バー
１１、１２、１３  ポール
【図１】
2007070809.tif 000003